(57)【要約】      （修正有）【課題】皮膚表層の研磨を行うと同時に流体が皮膚表層に浸み込み、且つ研磨面積及び研磨位置を容易に制御することができる電動式皮膚研磨装置を提供する。【解決手段】内部に横隔板及び２つの通路を有するブッシング２と、ブッシング２の横隔板の下方に固定されたモーター１と、ブッシング２の横隔板の上方に設置され、モーター１の回動端に接合した連動管７と、棒体６２の上端に研磨ヘッド６１を設置して成る。さらに、連動管７と共に回動する研磨棒６と、ブッシング２の上部に嵌合された前管４と、前管４の上方に設置され、研磨ヘッド６１を露出させる開口５１を有するヘッドキャップ５と、ブッシング２の下部に嵌合されたハンドル管３と、一方の通路に挿通され、流体ボックス３００から研磨ヘッド６１に向けて流体を供給する流体管２００と、他方の通路に穿設され、吸引装置５００に連結されて流体を回収する吸出管４００を含む。【選択図】図１
0003178859.tif 000002
【実用新案登録請求の範囲】
【請求項１】
電動式皮膚研磨装置であって、
内部に横隔板及び上下に貫通する２つの通路が設けられ、前記横隔板の中央に通孔が形成されたブッシングと、
前記ブッシングの横隔板の下方に固定され、その一端に回動端が設けられ、前記回動端が前記横隔板の通孔に挿通されたモーターと、
前記ブッシングの横隔板の上方に設置され、その下端に前記モーターの回動端と接合される連結部が設けられた連動管と、
棒体の上端に研磨ヘッドが設置されて成り、前記棒体が前記連動管内に挿入され、前記連動管と共に前記モーターにより動かされて回転可能である研磨棒と、
前記ブッシングの上部外面に嵌合された前管と、
前記前管の上方に設置され、その上端に前記研磨棒の研磨ヘッドを露出させるための開口が設けられたヘッドキャップと、
前記ブッシングの下部外面に設置されたハンドル管と、
前記ブッシングの一方の通路に挿通され、その一端が流体ボックスに連結されて流体を供給し、流体を前記研磨棒の研磨ヘッドに接触させる流体管と、
前記ブッシングの他方の通路に穿設され、その一端が吸引装置に連結され、前記流体を吸引して回収する吸出管と、
を含むことを特徴とする、電動式皮膚研磨装置。
【請求項２】
前記連動管の外側を囲み、前記ブッシングの上部内面に形成された雌ネジに螺合された軸管を含み、前記軸管の内部に前記連動管を支持する軸受けが設置され、前記連動管が前記モーターにより動かされるとき安定した状態で回転されることを特徴とする、請求項１に記載の電動式皮膚研磨装置。
【請求項３】
前記前管の上端にブロックが設置され、前記ブロックの上部に前記ヘッドキャップが設置され、前記ブロックに前記流体管と前記吸出管が穿設される通路が形成されたことを特徴とする、請求項１に記載の電動式皮膚研磨装置。
【請求項４】
前記研磨棒の棒体の外側面に突起が設けられ、前記連動管の上端に前記突起が係合される切欠部が設けられ、前記研磨棒の棒体の外周面に環状溝が形成され、前記連動管に内側へ突出したボールが設置され、前記ボールの外部が弾性を備えた環状包囲体で包囲され、前記連動管のボールが前記研磨棒の環状溝に嵌入されたことを特徴とする、請求項１に記載の電動式皮膚研磨装置。
【考案の詳細な説明】
【技術分野】
【０００１】
本考案は、皮膚の電動研磨を行なうとき、流体が同時に皮膚表層に浸み込み、研磨される皮膚をより清潔かつ衛生的、つややかにすることができる、電動式皮膚研磨装置に関する。
【背景技術】
【０００２】
従来、皮膚の修復と美化のために、研磨器を利用して皮膚表面の角質層を除去したり、エレクトロポレーション方式を利用して薬剤を皮膚内部に注入し、皮膚の活性化を促進したりすることが行われている。
例えば特許文献１には、美容用使い捨て式皮膚研磨ヘッド装置が開示されている。
この装置は、内部に真空ポンプを設置した本体を備え、連結管によりハンドルに連結され、ハンドルの前端に研磨ヘッドが設けられ、ダイヤモンド粉末が成型された研磨ヘッド上に電着される。
【０００３】
この装置で皮膚を研磨すると、皮膚が真空ポンプの真空吸引力による吸引を受け、突起した形式で研磨ヘッドに皮膚が貼り付いたときに、繰り返し研磨ヘッドを移動して、貼り付いた皮膚表面の角質層を研磨ヘッドで連続磨擦することによって除去し、これにより皮膚表面に再び平坦でつややかな表層を取り戻すことができる。
しかしながら、研磨ヘッドにより皮膚表面で繰り返し研磨を続けると、皮膚表面に形成された角質層を除去することはできるが、乾式の磨擦であるため、皮膚の角質層を削り取るとき、同時に皮膚表面の組織にもダメージを与えてしまう。
【先行技術文献】
【特許文献】
【０００４】
【特許文献１】台湾実用新案第Ｍ２７２４３７号明細書
【考案の概要】
【考案が解決しようとする課題】
【０００５】
本考案が解決しようとする課題は、皮膚表層の研磨を行うと同時に流体が皮膚表層に浸み込み、且つ研磨面積及び研磨位置を容易に制御することができる、電動式皮膚研磨装置を提供することにある。
【課題を解決するための手段】
【０００６】
本考案の電動式皮膚研磨装置は、内部に横隔板及び上下に貫通する２つの通路が設けられ、前記横隔板の中央に通孔が形成されたブッシングと、前記ブッシングの横隔板の下方に固定され、その一端に回動端が設けられ、前記回動端が前記横隔板の通孔に挿通されたモーターと、前記ブッシングの横隔板の上方に設置され、その下端に前記モーターの回動端と接合される連結部が設けられた連動管と、棒体の上端に研磨ヘッドが設置されて成り、前記棒体が前記連動管内に挿入され、前記連動管と共に前記モーターにより動かされて回転可能である研磨棒と、前記ブッシングの上部外面に嵌合された前管と、前記前管の上方に設置され、その上端に前記研磨棒の研磨ヘッドを露出させるための開口が設けられたヘッドキャップと、前記ブッシングの下部外面に設置されたハンドル管と、前記ブッシングの一方の通路に挿通され、その一端が流体ボックスに連結されて流体を供給し、流体を前記研磨棒の研磨ヘッドに接触させる流体管と、前記ブッシングの他方の通路に穿設され、その一端が吸引装置に連結され、前記流体を吸引して回収する吸出管とを含む。
【０００７】
前記連動管の外側を囲み、前記ブッシングの上部内面に形成された雌ネジに螺合された軸管を含み、前記軸管の内部に前記連動管を支持する軸受けを設置してもよい。
前記前管の上端にブロックを設置し、前記ブロックの上部に前記ヘッドキャップを設置し、前記ブロックに前記流体管と前記吸出管が挿通される通路を形成することがある。
前記研磨棒の棒体の外側面に突起を設け、前記連動管の上端に前記突起が係合される切欠部を設け、前記研磨棒の棒体の外周面に環状溝を形成し、前記連動管に内側へ突出したボールを設置し、前記ボールの外部を弾性を備えた環状包囲体で包囲し、前記連動管のボールを前記研磨棒の環状溝に嵌入するとよい。
【考案の効果】
【０００８】
請求項１に係る考案によれば、研磨ヘッドで皮膚表層を研磨して角質層を除去し、定点研磨或いは摺動研磨により研磨面積及び研磨位置を容易に制御することができ、研磨するときに、同時に流体を導入して研磨される皮膚組織に浸み込ませ、皮膚の細胞に潤いを与えて再生させることができる。
請求項２に係る考案によれば、連動管がモーターにより安定した状態で回転され、研磨の安定性を高めることができる。
請求項３に係る考案によれば、前管と、ヘッドキャップと、流体管及び吸出管を安定して確実に組み付けることができる。
請求項４に係る考案によれば、研磨棒を簡単に連動管に対して着脱させることができるので、研磨棒の交換が容易であり、このため、研磨される皮膚の特性及び皮膚の状況に合わせて、適した研磨棒に交換し、適切な研磨を行なうことができる。
【図面の簡単な説明】
【０００９】
【図１】本考案の実施例を示す電動式皮膚研磨装置の断面図である。
【図２】本考案の実施例を示す電動式皮膚研磨装置の分解斜視図である。
【図３】本考案の実施例を示す電動式皮膚研磨装置の使用状態における断面図である。
【考案を実施するための形態】
【００１０】
以下、本考案の実施例を図面に基づいて詳細に説明する。
図１及び図２に示すように、本考案の電動式皮膚研磨装置は、モーター１、ブッシング２、ハンドル管３、前管４、ヘッドキャップ５、ブロック５０、研磨棒６、連動管７、軸管８、流体管２００、吸出管４００を含む。
モーター１は、その上端に回動端１１が設けられ、回動端１１の外周面に、外方に向かって突出した複数の凸縁部１２が周方向に適宜間隔をおいて形成される。
【００１１】
ブッシング２は、アルミ合金材質から成り、その内部に横隔板２０が設けられ、横隔板２０の中央に通孔２１が形成される。通孔２１はモーター１の回動端１１が通過可能な大きさとする。
横隔板２０には、通孔２１の両側に２つの小孔２２が形成され、小孔２２に挿通した２本のネジによって、モーター１がブッシング２の下方に固定される。
ブッシング２の内部において、横隔板２０の上方には、内面に雌ネジが形成されたネジ山部２３が設けられ、ネジ山部２３の両側に２つの上下に貫通した通路２４、２５が形成される。
また、ブッシング２の外周囲に環状張出し部２６が設けられ、環状張出し部２６によってブッシング２の外周面が上連接部２７と下連接部２８に分けられる。上連接部２７と下連接部２８の外表面にはいずれもネジが形成される。
【００１２】
ハンドル管３は、長い管状のアルミ合金材質から成り、その上部内面が雌ネジとなっており、この雌ネジがブッシング２の下連接部２８に螺合される。
前管４は、下部内面が雌ネジとなっており、この雌ネジがブッシング２の上連接部２７に螺合される。
ヘッドキャップ５は、上端に開口５１が設けられる。
ブロック５０は、円柱体であり、両側部に上下に貫通した２つの通路５０１、５０２が設けられ、その外側表面に上Ｏリング５０３と下Ｏリング５０４が装着される。下Ｏリング５０４の外部には前管４が嵌合され、上Ｏリング５０３の外部にはヘッドキャップ５が嵌合される。
【００１３】
研磨棒６は、棒体６２の上端に研磨ヘッド６１が設置されて成る。
研磨ヘッド６１は、ヘッドキャップ５の開口５１に臨んで露出するよう配置され、砂状の金属を付着させるか、その他の方法で表面に粗面が形成される。従って、研磨ヘッド６１により人体の皮膚表面で定点研磨または摺動研磨を行うとき、人体の皮膚表面において変質やケガ、または老化によって形成された角質または硬い皮質を除去することができる。
棒体６２はブロック５０の中心を上下に貫通する。また、ブロック５０を貫通する部分の下方において、棒体６２の側面には２つの外方に向かって突出した突起６３が設けられ、棒体６２の下端部外周囲に環状溝６４が形成される。
【００１４】
連動管７は、ブロック５０の下方において、研磨棒６の棒体６２に外嵌され、その上端に間隔をあけて配置された切欠部７１が形成される。そして、研磨棒６の突起６３を切欠部７１に嵌入させることにより、研磨棒６と連動管７を一緒に回転させることができる。
連動管７の下端には、モーター１の回動端１１を挿入する連結部７２が設けられる。連結部７２は、間隔をあけて配置された開口を備え、この開口とモーター１の回動端１１の凸縁部１２を係合することにより、モーター１が連動管７と研磨棒６を動かして一緒に回転させることができる。
なお、モーター１による研磨棒６の回転速度は調整可能であり、操作・制御しやすい回転速度とすることも、高速回転して時間を節約することも、特に問題のある皮膚(例えば術後の傷跡)などに対して極めて低速度の定点研磨をおこなうこともできる。
【００１５】
連動管７の下部に内側に向かって突出したボール７３が設けられ、連動管７の下部外面に弾性を備えた環状包囲体７４が設置される。環状包囲体７４によりボール７３を包囲し、ボール７３の脱落を防ぐと共に、研磨棒６の棒体６２を連動管７内部に挿通したとき、棒体６２の環状溝６４にボール７３が嵌入され、研磨棒６が回動時に連動管７から離脱しないようにすることができる。
また、連動管７の外面には間隔をあけて第１リング部７５と第２リング部７６が設けられる。
【００１６】
軸管８は、その下端に形成された雄ネジ８１によりブッシング２のネジ山部２３に螺合され、内部に連動管７が挿入される。
また、軸管８の内部には、間隔をあけて第１軸受け８２と第２軸受け８３が設置される。第１軸受け８２と第２軸受け８３は、連動管７をモーター１の上端に設置したとき、連動管７の第１リング部７５と第２リング部７６にそれぞれ当接され、連動管７がモーター１により動かされて回転するとき、回転を安定させてぐらつかないように保持することができる。
【００１７】
流体管２００は、ステンレス管であり、ブッシング２の通路２４及びブロック５０の通路５０１に挿通され、その一端が流体ボックス３００に連接される。流体ボックス３００は、清潔・殺菌作用を備えた洗浄液、または皮膚の保養と再生を促進するスキンケア液を貯蔵することができる。
吸出管４００は、ステンレス管であり、ブッシング２の通路２５及びブロック５０の通路５０２に挿通され、その一端が吸引装置５００に連接される。吸引装置５００は、真空ポンプ等の吸引機能を備えた装置とすることができる。
【００１８】
電動式皮膚研磨装置を使用する時、図３に示すように、ヘッドキャップ５の開口５１と研磨棒６の研磨ヘッド６１を患者の皮膚６００に当てると、ブロック５０とヘッドキャップ５の間の空間が密封空間５Ｄとなる。
この状態で吸引装置５００を起動すると、吸出管４００から密封空間５Ｄの気体が吸引されて真空吸引力が形成され、流体ボックス３００の流体が真空吸引力の作用により、流体管２００から密封空間５Ｄに流入し、且つ研磨ヘッド６１の周辺から研磨されている皮膚表層に浸み込む。流入した流体は同時に吸出管４００から吸引され、これにより循環ルートが形成される。
【００１９】
このため、研磨棒６の研磨ヘッド６１とヘッドキャップ５の開口５１を患者の皮膚に当てた後、研磨ヘッド６１で定点研磨または摺動研磨を行うかを問わず、研磨される皮膚表層に循環流動する流体を浸み込ませ、清潔にすることができる。
なお、ブロック５０上の吸出管４００の取り付けに用いる通路出口５０２Ａの口径を流体管２００の取り付けに用いる通路出口５０１Ａより小さくして、循環流動の効果を高めることもできる（図３）。
また、本考案の電動式皮膚研磨装置は、そのほとんどの部材に軽量のアルミ合金材料を用いることができ、使用者が操作しやすいだけでなく、分解・交換、組み立てがしやすい構造となっている。
【００２０】
本実施例の電動式皮膚研磨装置には、以下の特徴がある。
１．研磨棒６は突起６３と環状溝６４を利用して、簡単に連動管７に対して着脱させることができ、研磨棒６の交換が容易である。このため、操作する人が研磨される皮膚の特性及び皮膚の状況に合わせ、隨時適した研磨棒に交換し、研磨される皮膚により適切な研磨を提供することができる。
２．連動管７の外部に第１軸受け８２と第２軸受け８３が設置されており、研磨棒６と連動管７がモーター１によって動かされるとき、安定した回転を保ち、研磨の安定性を高めることができる。
３．組み立てと分解が容易で、各部材の交換が簡単にできる。
【符号の説明】
【００２１】
１      モーター              
１１    回動端
１２    凸縁部
２      ブッシング
２０    横隔板
２１    通孔
２２    小孔
２３    ネジ山部
２４、２５    通路
２６    環状張出し部
２７    上連接部
２８    下連接部
３      ハンドル管
４      前管
５      ヘッドキャップ
５１    開口
５０    ブロック
５０１、５０２    通路
５０３  上Ｏリング
５０４  下Ｏリング
５Ｄ    密封空間
５０１Ａ、５０２Ａ      通路出口
６      研磨棒
６１    研磨ヘッド
６２    棒体
６３    突起
６４    環状溝
７      連動管
７１    切欠部
７２    連結部
７３    ボール
７４    環状包囲体
７５    第１リング部
７６    第２リング部
８      軸管
８１    雄ネジ
８２    第１軸受け
８３    第２軸受け
２００  流体管
３００  流体ボックス
４００  吸出管
５００  吸引装置
６００  皮膚
５Ｄ    密封空間
【図１】
0003178859.tif 000003
【図２】
0003178859.tif 000004
【図３】
0003178859.tif 000005